(57)【要約】【課題】不審者とそうでない者を識別し不審者の侵入を阻止することができるようにする。【解決手段】赤外線センサ３が人を検知し、検知信号を管理装置１に送信する。ＲＦＩＤリーダ２は、ＲＦＩＤから個人ＩＤを読み取り、管理装置１に送信する。管理装置１は、赤外線センサ３が人を検知したか否か、およびＲＦＩＤリーダ２がＲＦＩＤから個人ＩＤを読み取ることができたか否かに応じて、不審者の侵入の有無を判断し、警報ブザー４から警報を発生させる。【選択図】図１
2005293102.tif 000002
【特許請求の範囲】
【請求項１】
人の存在を検知する人検知手段と、
前記人が所持するＲＦＩＤに記憶された個人ＩＤを読み取る読み取り手段と、
前記読み取り手段により読み取られた前記個人ＩＤが正しいか否かを判断する判断手段と、
前記人検知手段による検知結果と、前記判断手段による判断結果とに基づいて、不正侵入者か否かを判定する判定手段と、
前記判定手段により不正侵入者であると判定されたときに警告を発する警告手段と
を備えることを特徴とする入退場管理システム。
【請求項２】
前記人検知手段および読み取り手段は、施設の出入口近傍に設けられている
ことを特徴とする請求項１記載の入退場管理システム。
【請求項３】
前記判定手段は、前記人検知手段により人の存在が検知され、且つ、前記判断手段による判断結果が正しくないときに不正侵入者であると判定する
ことを特徴とする請求項１記載の入退場管理システム。
【請求項４】
個人ＩＤが記憶され、人が所持するＲＦＩＤと、
施設の出入口近傍に設けられ、前記個人ＩＤを読み取る読み取り手段と、
現在時刻を計時する計時手段と、
前記施設への基準入室時刻および基準退室時刻を設定する設定手段と、
前記読み取り手段により読み取られた前記個人ＩＤに対応する人が前記施設へ入室した入室時刻および退室した退室時刻を記憶する記憶手段と、
前記記憶手段に記憶された前記入室時刻が前記設定手段により設定された前記基準入室時刻よりも遅いときに遅刻を示す情報を前記個人ＩＤに対応させて記憶し、前記設定手段により設定された前記退室時刻までに入室がなかったときに欠席を示す情報を前記個人ＩＤに対応させて記憶する管理手段と
を備えることを特徴とする入退場管理システム。
【発明の詳細な説明】
【技術分野】
【０００１】
本発明は、入退場管理システムに関し、小学校、中学校、高等学校、或いは大学等の敷地内への入退場を管理する入退場管理システムに関する。
【背景技術】
【０００２】
例えば、玄関扉の屋外側に取り付けられ、人の存否を検知するセンサ部を備えた検知ユニットと、玄関扉の屋内側に取り付けられ、検知ユニットが人を検知すると検知信号をワイヤレスで発信する送信回路を備えた警戒装置本体と、検知ユニットと警戒装置本体との間を連結する連結部とからなる検知送信ユニットと、検知送信ユニットからの検知信号を受信すると音を発生する音発生部を備えた報知ユニットとで構成され、玄関扉の外側から不審者が近づいてくると、検知送信ユニットから検知信号がワイヤレスで送信され、報知ユニットから警報が発生されるようにし、検知ユニットから離れた場所でも人の存否を確認でき、且つ万が一屋外に設置された部分が破壊されたとしても警報を発することができるようにしたものがある（例えば、特許文献１参照）。
【特許文献１】特開２００３−２６３６８６号公報
【発明の開示】
【発明が解決しようとする課題】
【０００３】
しかしながら、背景技術では、不審者とそうでない者とを識別し、不審者が侵入しようとしたときだけ警報を発生させることはできないという問題があった。
【０００４】
本発明はこのような状況に鑑みてなされたものであり、学校等において不正な侵入を阻止し、生徒の登下校時刻や遅刻状況を管理することができるようにするものである。
【課題を解決するための手段】
【０００５】
請求項１に記載の入退場管理システムは、人の存在を検知する人検知手段と、前記人が所持するＲＦＩＤに記憶された個人ＩＤを読み取る読み取り手段と、前記読み取り手段により読み取られた前記個人ＩＤが正しいか否かを判断する判断手段と、前記人検知手段による検知結果と、前記判断手段による判断結果とに基づいて、不正侵入者か否かを判定する判定手段と、前記判定手段により不正侵入者であると判定されたときに警告を発する警告手段とを備えることを特徴とする。
また、前記人検知手段および読み取り手段は、施設の出入口近傍に設けることもできる。
また、前記判定手段は、前記人検知手段により人の存在が検知され、且つ、前記判断手段による判断結果が正しくないときに不正侵入者であると判定するようにすることができる。
請求項４に記載の入退場管理システムは、個人ＩＤが記憶され、人が所持するＲＦＩＤと、施設の出入口近傍に設けられ、前記個人ＩＤを読み取る読み取り手段と、現在時刻を計時する計時手段と、前記施設への基準入室時刻および基準退室時刻を設定する設定手段と、前記読み取り手段により読み取られた前記個人ＩＤに対応する人が前記施設へ入室した入室時刻および退室した退室時刻を記憶する記憶手段と、前記記憶手段に記憶された前記入室時刻が前記設定手段により設定された前記基準入室時刻よりも遅いときに遅刻を示す情報を前記個人ＩＤに対応させて記憶し、前記設定手段により設定された前記退室時刻までに入室がなかったときに欠席を示す情報を前記個人ＩＤに対応させて記憶する管理手段とを備えることを特徴とする。
【発明の効果】
【０００６】
本発明の入退場管理システムによれば、不正に侵入しようとした不審者を発見し、警報ブザーを鳴動させることができるので、部外者の侵入を防止することができる。また、生徒の登下校時刻や遅刻状況を管理することができる。
【発明を実施するための最良の形態】
【０００７】
図１は、本発明の一実施の形態の構成例を示す図である。同図に示すように本実施の形態は、入退場を管理する管理装置１と、後述する学生証１００（図５）に埋め込まれたＲＦＩＤ（Ｒａｄｉｏ  Ｆｒｅｑｕｅｎｃｙ−Ｉｄｅｎｔｉｆｉｃａｔｉｏｎ）１２０のＩＣチップ１２１に記憶されている個人ＩＤを読み取るＲＦＩＤリーダ２と、人を検知する赤外線センサ３と、警報を鳴らす警報ブザー４とからなり、各部はＬＡＮ（Ｌｏｃａｌ  Ａｒｅａ  Ｎｅｔｗｏｒｋ）５により互いに接続され、コマンドやデータを送受信することができるようになっている。図１では、ＲＦＩＤリーダ２、赤外線センサ３、および警報ブザー４をそれぞれ１つだけ図示しているが、複数であってもよい。その場合、ＲＦＩＤリーダ２−１，２−２・・・、赤外線センサ３−１，３−２・・・、警報ブザー４−１，４−２・・・等と記載することにする。赤外線センサ３は、赤外線を放射する投光器と、投光器から放射された赤外線を受光する受光器とからなり、投光器から放射された赤外線を受光する受光器の赤外線受光量に対応する検知データをＬＡＮ５を介して管理装置１に供給するようになっている。管理装置１は、赤外線センサ３より供給される検知データによって示される赤外線受光量の変化に基づいて、人の存在を検知することができるようになっている。例えば、人等の遮断物が赤外線センサ３を構成する投光器と受光器の間に移動することによって、受光器の赤外線受光量が減少するので、赤外線受光量が所定の基準値よりも減少したとき、赤外線センサ３の近傍に人がいると判断することができる。
【０００８】
図２は、図１の管理装置１の構成例を示すブロック図である。管理装置１は、制御プログラム等を記憶するＲＯＭ（Ｒｅａｄ  Ｏｎｌｙ  Ｍｅｍｏｒｙ）１２と、ＲＯＭ１２に記憶されている制御プログラムに従って動作し、各部を制御するＣＰＵ（Ｃｅｎｔｒａｌ  Ｐｒｏｃｅｓｓｉｎｇ  Ｕｎｉｔ）１１と、ＣＰＵ１１が各種処理を実行する上で必要となる各種データを記憶するＲＡＭ（Ｒａｎｄｏｍ  Ａｃｃｅｓｓ  Ｍｅｍｏｒｙ）１３と、インタフェース（Ｉ／Ｆ）１４と、インタフェース１４を介してバス２１に接続され、後述する入退場管理テーブル（図９）を記憶するハードディスク等からなる記憶装置１５と、インタフェース（Ｉ／Ｆ）１６を介してバス２１に接続され、ＣＰＵ１１から供給される表示データを表示する表示部１７と、インタフェース（Ｉ／Ｆ）１８を介してバス２１に接続され、後述する始業時刻（基準入室時刻）および終業時刻（基準退室時刻）等を設定したり、各種コマンドやデータを入力したりするための操作部１９と、ＲＦＩＤリーダ２、赤外線センサ３、および警報ブザー４との間のＬＡＮ５を介したデータやコマンドの送受信を制御するネットワーク制御部２０と、現在の年月日および時刻を計時し、計時した現在の年月日および時刻をカレンダ情報としてバス２１を介してＣＰＵ１１に供給する時計回路２２等から構成されている。
【０００９】
図３は、図１に示した各部が実際に中学校の校舎に配置された例を示している。この中学校には、出入口としての正門と通用門とがあり、正門には、ＲＦＩＤリーダ２−１と、赤外線センサ３−１と、警報ブザー４−１がそれぞれ配置されている。通用門には、ＲＦＩＤリーダ２−２と、赤外線センサ３−２と、警報ブザー４−２がそれぞれ配置されている。図４は、教室の各出入口にＲＦＩＤリーダ２−３，２−４、警報ブザー４−３，４−４がそれぞれ配置された例を示している。
【００１０】
図５は、学生証１００の構成例を示している。同図に示すように、学生証１００は、表面に本人の写真、名前、学校名、および個人ＩＤ等が印刷された基材１１０と、基材１３０とにより、ＲＦＩＤ１２０を挟み込んだ構成とされる。ＲＦＩＤ１２０は、個人ＩＤ等のデータを記憶するメモリ等を含むＩＣチップ１２１と、アンテナ１２２とにより構成されている。
【００１１】
次に、図６のフローチャートを参照して、本実施の形態において、登下校時刻を管理する処理手順について説明する。まず、ステップＳ１において、管理装置１のＣＰＵ１１によって、赤外線センサ３−１の受光器より出力される検出データに基づいて、赤外線センサ３−１の近傍に人がいるか否かが判定される。その結果、赤外線センサ３−１の近傍に人がいないと判定された場合、ステップＳ１の処理が繰り返し実行される。一方、赤外線センサ３−１の近傍に人がいると判定された場合、ステップＳ２に進む。
【００１２】
ステップＳ２においては、ＲＦＩＤリーダ２−１により、ＲＦＩＤ１２０のＩＣチップ１２１から個人ＩＤが読み取られたか否か判定される。その結果、個人ＩＤが読み取られていないと判定された場合、不正に学校内に侵入しようとしているとみなし、ステップＳ３に進み、警報ブザー４−１に対して鳴動開始を指示するコマンドをＬＡＮ５を介して送信する。このコマンドを受信した警報ブザー４−１は鳴動を開始する。その後、ステップＳ１に戻り、ステップＳ１以降の処理が繰り返し実行される。一方、ステップＳ２において、個人ＩＤが読み取られたと判定された場合、ステップＳ４に進む。
【００１３】
ステップＳ４においては、個人ＩＤが正しいものであるか否かが判断される。その結果、個人ＩＤが正しいものではないと判断された場合、不正に学校内に侵入しようとしているとみなし、ステップＳ３に進み、警報ブザー４−１に対して鳴動開始を指示するコマンドをＬＡＮ５を介して送信する。このコマンドを受信した警報ブザー４−１は、鳴動を開始する。その後、ステップＳ１に戻り、ステップＳ１以降の処理が繰り返し実行される。
【００１４】
一方、ステップＳ４において、個人ＩＤが正しいものであると判断された場合、ステップＳ５に進み、記憶装置１５に記憶されている入退場管理テーブル（図９）を参照して、この個人ＩＤに対応する生徒が正門または通用門を通過したのがその日の最初（１回目）であるか否かが判定される。その結果、その日の最初であると判定された場合、ステップＳ６に進み、入退場管理テーブルの登校時刻に現在時刻をセットする。一方、その日の最初ではない（２回目以降である）と判定された場合、ステップＳ７に進み、入退場管理テーブルの下校時刻に現在時刻をセットまたは更新する。その後、ステップＳ１に戻り、ステップＳ１以降の処理が繰り返し実行される。
【００１５】
次に、図７のフローチャートを参照して、本実施の形態において、教室への入室および退室を管理する処理手順について説明する。この例では、予め、教職員等によって操作部１９が操作され、始業時刻（基準入室時刻）として「８時３０分」が設定され、終業時刻（基準退室時刻）として「１７：００」が設定され、各設定値が記憶装置１５に記憶されているものとする。従って、８時３０分までに入室していなければ遅刻扱いとなり、１７時００分までに入室していなければ欠席扱いとなる。まず、ステップＳ１１において、ＣＰＵ１１によって、ＲＦＩＤリーダ２−３により、ＲＦＩＤ１２０のＩＣチップ１２１から個人ＩＤが読み取られたか否か判定される。その結果、個人ＩＤが読み取られていないと判定された場合、ステップＳ１１の処理が繰り返し実行される。一方、個人ＩＤが読み取られたと判定された場合、ステップＳ１２に進む。
【００１６】
ステップＳ１２においては、その個人ＩＤに対応する生徒が教室の出入口を通過したのはその日の最初（１回目）であるか否かが判定される。その結果、その日の最初であると判定された場合、ステップＳ１３に進み、入退場管理テーブルの入室時刻に時計回路２２によって計時された現在時刻をセットする。その後、ステップＳ１５に進む。ステップＳ１５においては、入室時刻が始業時刻前であるか否かが判定される。その結果、始業時刻前ではないと判定された場合、ステップＳ１６に進み、遅刻と見なされ、入退場管理テーブルの遅刻フラグがオンにされる（値１がセットされる）。一方、始業時刻前であると判定された場合、ステップＳ１１に戻り、ステップＳ１１以降の処理が繰り返し実行される。上述したように、この例では始業時刻は８時３０分であるので、入室時刻が８時３０分より後であれば遅刻となる。
【００１７】
一方、ステップＳ１２において、その日の最初ではない（２回目以降である）と判定された場合、ステップＳ１４に進み、入退場管理テーブルの退室時刻に時計回路２２によって計時された現在時刻をセットまたは更新する。その後、ステップＳ１１に戻り、ステップＳ１１以降の処理が繰り返し実行される。
【００１８】
次に、図８のフローチャートを参照して、欠席を確定する処理手順について説明する。まず、ステップＳ２１において、ＣＰＵ１１により、時計回路２２によって計時された現在の時刻が終業時刻を過ぎたか否かが判定される。その結果、終業時刻を過ぎていないと判定された場合、ステップＳ２１の処理が繰り返し実行される。一方、終業時刻を過ぎていると判定された場合、ステップＳ２２に進み、入退場管理テーブルを参照して、欠席者がいるか否かが判定される。
【００１９】
入退場管理テーブルのその当日の登校時刻が何もセットされておらず、ヌル値のままであるレコードが存在する場合、そのレコードの個人ＩＤに対応する生徒がその日、欠席したと見なされ、ステップＳ２３に進み、入退場管理テーブルの欠席フラグがオンにされる（値１がセットされる）。その後、処理を終了する。一方、ステップＳ２２において、欠席者がいないと判定された場合、何もせず処理を終了する。
【００２０】
図９は、入退場管理テーブルの構成例を示している。同図に示すように、入退場管理テーブルは、個人ＩＤと、登校時刻と、下校時刻と、入室時刻と、退室時刻と、遅刻フラグと、欠席フラグ等の項目を含む複数のレコードより構成されている。この例では、個人ＩＤが０００１の生徒の場合、登校時刻は８時２５分、下校時刻は１７時２４分、入室時刻は８時２７分、退室時刻は１７時２１分、遅刻フラグの値は０、欠席フラグの値は０となっている。また、個人ＩＤが０００２の生徒の場合、登校時刻は８時２９分、下校時刻は１７時１２分、入室時刻は８時３１分、退室時刻は１７時１０分、遅刻フラグの値は１、欠席フラグの値は０となっている。また、個人ＩＤが０００３の生徒の場合、登校時刻は８時２１分、下校時刻は１７時２９分、入室時刻は８時２４分、退室時刻は１７時２５分、遅刻フラグの値は０、欠席フラグの値は０となっている。また、個人ＩＤが０００４の生徒の場合、欠席フラグの値が１となっている。
【００２１】
以上説明したように、本実施の形態により、不正に侵入しようとした不審者を発見し、警報ブザーを鳴動させることができるので、部外者の侵入を防止することができる。また、生徒の登下校時刻や遅刻状況を管理することができる。
【００２２】
なお、上記実施の形態の構成及び動作は例であって、図６のステップＳ２において個人ＩＤが読み取れない場合と、ステップＳ４において個人ＩＤが正しくない場合で警報ブザー４−１により発する音を異なる音とすることもできる。また、警報ブザー４−１による音を音声とすることができ、ステップＳ４において個人ＩＤが正しくない場合に「再度読み取りを行って下さい」などの読取指示メッセージを鳴動することができる。この場合、再度の読み取りを行い、所定回数以上再度の読取りを行っても個人ＩＤが正しくないと判断された場合に警報ブザーから「管理者に問い合わせて下さい」というメッセージに変更することもできる。
【図面の簡単な説明】
【００２３】
【図１】本発明の一実施の形態の構成例を示す図である。
【図２】管理装置の構成例を示すブロック図である。
【図３】図１に示した各部が実際に中学校の校舎に配置された例を示す図である。
【図４】教室の各出入口にＲＦＩＤリーダ、警報ブザーがそれぞれ配置された例を示す図である。
【図５】学生証１００の構成例を示す図である。
【図６】登下校時刻を管理する処理手順を説明するためのフローチャートである。
【図７】教室への入室および退場を管理する処理手順を説明するためのフローチャートである。
【図８】欠席を確定する処理手順を説明するためのフローチャートである。
【図９】入退場管理テーブルの構成例を示す図である。
【符号の説明】
【００２４】
１  管理装置
２  ＲＦＩＤリーダ
３  赤外線センサ
４  警報ブザー
５  ＬＡＮ
１１  ＣＰＵ
１２  ＲＯＭ
１３  ＲＡＭ
１４，１６，１８  インタフェース（Ｉ／Ｆ）
１５  記憶装置
１７  表示部
１９  操作部
２０  ネットワーク制御部
２１  バス
２２  時計回路
【図１】
2005293102.tif 000003
【図２】
2005293102.tif 000004
【図３】
2005293102.tif 000005
【図４】
2005293102.tif 000006
【図５】
2005293102.tif 000007
【図６】
2005293102.tif 000008
【図７】
2005293102.tif 000009
【図８】
2005293102.tif 000010
【図９】
2005293102.tif 000011